(57)【要約】      （修正有）【課題】飲食店に来店したユーザを、飲食店のサービス提供者が、来店したユーザの性別を考慮して男女相席になるように飲食店内のテーブル席に案内して飲食物提供サービスを行う飲食物提供サービス支援システムを提供する。【解決手段】飲食店の各テーブルに着席しているユーザに対して配布されるサービス開始時刻特定手段から取得できるサービス開始時刻から当該飲食店のレジカウンターで料金精算する時刻までの時間の長さ及び、テーブル席でサービス提供を受けてサービス開始時刻特定手段をレジカウンターに持参した男性ユーザの人数に応じて請求金額を算出する料金計算手段を飲食店に配備する。【選択図】図４
2018060442.tif 000002
【特許請求の範囲】
【請求項１】
飲食店に来店したユーザを、当該飲食店のサービス提供者が、前記来店した前記ユーザの性別を考慮して男女相席になるように前記飲食店内のテーブル席に案内して飲食物提供サービスを行う飲食物提供サービス支援システムであって、
前記飲食店の各テーブルに着席しているユーザに対して配布されるサービス開始時刻特定手段から取得できるサービス開始時刻から当該飲食店のレジカウンターで料金精算する時刻までの時間の長さ及び、前記テーブル席でサービス提供を受けて当該サービス開始時刻特定手段を前記レジカウンターに持参した男性ユーザの人数に応じて請求金額を算出する料金計算手段
が前記飲食店に配備されている飲食物提供サービス支援システム。
【請求項２】
前記飲食店に配備されている飲食店端末がネットワークを介してサービス提供サーバと接続可能になっており、
前記サービス提供サーバは、前記飲食店内の前記テーブル席で相席になる前記ユーザに対して提供されるサービス用のアプリケーションプログラムを、前記ユーザが使用しているユーザ端末に対して、前記ネットワークを介して送出するアプリケーションプログラム送出処理部を備えている請求項１記載の飲食物提供サービス支援システム。
【請求項３】
前記サービス提供サーバは、前記ユーザ端末から取得した当該ユーザ端末を使用している前記ユーザのプロフィール情報であるユーザプロフィール情報を、前記ユーザ端末を使用している前記ユーザを特定するユーザＩＤに関連付けて記録しておくユーザ情報記録処理部を備えている請求項２記載の飲食物提供サービス支援システム。
【請求項４】
前記サービス提供サーバは、前記ユーザ端末から取得した特定の前記ユーザの前記ユーザプロフィール情報を要求するユーザプロフィール情報提供要求に応じて、当該特定のユーザのユーザプロフィール情報を前記要求を行ってきた前記ユーザ端末に対して送出するユーザプロフィール情報提供処理部を備えている請求項３記載の飲食物提供サービス支援システム。
【請求項５】
前記飲食店における前記テーブル席の空席情報を前記サービス提供サーバに対して前記ネットワークを介して送出する店舗空席情報送出処理手段が前記飲食店に配備されており、
前記サービス提供サーバは、
前記飲食店の前記店舗空席情報送出処理手段から取得した前記飲食店におけるテーブル席の空席情報を情報更新・登録する店舗空席情報更新・登録処理部と、
前記ユーザ端末から取得した店舗空席情報提供要求に応じて、店舗空席情報を、当該店舗空席情報提供要求を送出してきた前記ユーザ端末に対して送出する店舗空席情報提供処理部を備えている請求項４記載の飲食物提供サービス支援システム。
【請求項６】
前記飲食店に入店した前記ユーザが所持している前記ユーザ端末との間での無線通信により取得した前記ユーザ端末を使用している前記ユーザを特定する情報及び、前記ユーザの入店日時情報を前記飲食店を特定する情報とともに、ネットワークを介して前記サービス提供サーバに送出するユーザ利用情報送出処理手段が前記飲食店に配備されている請求項１乃至５のいずれか一項に記載の飲食物提供サービス支援システム。
【請求項７】
前記サービス提供サーバは、ユーザ利用情報に基づいて、当該ユーザ利用情報に係る前記ユーザが利用した前記飲食店がそれぞれ設定しているサービスポイント付与基準に基づき、当該ユーザ利用情報に係る前記ユーザに対して付与するサービスポイントを算出するサービスポイント算出処理部を備えている請求項６記載の飲食物提供サービス支援システム。
【発明の詳細な説明】
【技術分野】
【０００１】
この発明は飲食物提供サービス支援システムに関する。特に、飲食店に来店したユーザを、当該飲食店のサービス提供者が、前記来店した前記ユーザの性別を考慮して男女相席になるように前記飲食店内のテーブル席に案内して飲食物提供サービスを行う飲食物提供サービス支援システムに関する。
【背景技術】
【０００２】
飲食店などにおける来店客へのサービス向上などを目的としてネットワークに接続可能なコンピュータや携帯端末、等とネットワークとを使用してサービス支援を図るシステムは従来から種々提案されている。例えば、特許文献１、２、３、４、５など。
【先行技術文献】
【特許文献】
【０００３】
【特許文献１】特開２００７−２１９７４８号公報
【特許文献２】特開２０１４−１０６５５９号公報
【特許文献３】特開２０１５−２２２５９９号公報
【特許文献４】特開２０１６−２１０４４号公報
【特許文献５】特開２０１６−５８０９１号公報
【発明の概要】
【発明が解決しようとする課題】
【０００４】
この発明は、飲食店に来店したユーザを、当該飲食店のサービス提供者が、前記来店した前記ユーザの性別を考慮して男女相席になるように前記飲食店内のテーブル席に案内して飲食物提供サービスを行う飲食物提供サービス支援システムを提供することを目的にしている。
【課題を解決するための手段】
【０００５】
［１］
飲食店に来店したユーザを、当該飲食店のサービス提供者が、前記来店した前記ユーザの性別を考慮して男女相席になるように前記飲食店内のテーブル席に案内して飲食物提供サービスを行う飲食物提供サービス支援システムであって、
前記飲食店の各テーブルに着席しているユーザに対して配布されるサービス開始時刻特定手段から取得できるサービス開始時刻から当該飲食店のレジカウンターで料金精算する時刻までの時間の長さ及び、前記テーブル席でサービス提供を受けて当該サービス開始時刻特定手段を前記レジカウンターに持参した男性ユーザの人数に応じて請求金額を算出する料金計算手段
が前記飲食店に配備されている飲食物提供サービス支援システム。
【０００６】
［２］
前記飲食店に配備されている飲食店端末がネットワークを介してサービス提供サーバと接続可能になっており、
前記サービス提供サーバは、前記飲食店内の前記テーブル席で相席になる前記ユーザに対して提供されるサービス用のアプリケーションプログラムを、前記ユーザが使用しているユーザ端末に対して、前記ネットワークを介して送出するアプリケーションプログラム送出処理部を備えている［１］の飲食物提供サービス支援システム。
【０００７】
［３］
前記サービス提供サーバは、前記ユーザ端末から取得した当該ユーザ端末を使用している前記ユーザのプロフィール情報であるユーザプロフィール情報を、前記ユーザ端末を使用している前記ユーザを特定するユーザＩＤに関連付けて記録しておくユーザ情報記録処理部を備えている［２］の飲食物提供サービス支援システム。
【０００８】
［４］
前記サービス提供サーバは、前記ユーザ端末から取得した特定の前記ユーザの前記ユーザプロフィール情報を要求するユーザプロフィール情報提供要求に応じて、当該特定のユーザのユーザプロフィール情報を前記要求を行ってきた前記ユーザ端末に対して送出するユーザプロフィール情報提供処理部を備えている［３］の飲食物提供サービス支援システム。
【０００９】
［５］
前記飲食店における前記テーブル席の空席情報を前記サービス提供サーバに対して前記ネットワークを介して送出する店舗空席情報送出処理手段が前記飲食店に配備されており、
前記サービス提供サーバは、
前記飲食店の前記店舗空席情報送出処理手段から取得した前記飲食店におけるテーブル席の空席情報を情報更新・登録する店舗空席情報更新・登録処理部と、
前記ユーザ端末から取得した店舗空席情報提供要求に応じて、店舗空席情報を、当該店舗空席情報提供要求を送出してきた前記ユーザ端末に対して送出する店舗空席情報提供処理部を備えている［４］の飲食物提供サービス支援システム。
【００１０】
［６］
前記飲食店に入店した前記ユーザが所持している前記ユーザ端末との間での無線通信により取得した前記ユーザ端末を使用している前記ユーザを特定する情報及び、前記ユーザの入店日時情報を前記飲食店を特定する情報とともに、ネットワークを介して前記サービス提供サーバに送出するユーザ利用情報送出処理手段が前記飲食店に配備されている［１］乃至［５］のいずれかの飲食物提供サービス支援システム。
【００１１】
［７］
前記サービス提供サーバは、ユーザ利用情報に基づいて、当該ユーザ利用情報に係る前記ユーザが利用した前記飲食店がそれぞれ設定しているサービスポイント付与基準に基づき、当該ユーザ利用情報に係る前記ユーザに対して付与するサービスポイントを算出するサービスポイント算出処理部を備えている［６］の飲食物提供サービス支援システム。
【発明の効果】
【００１２】
この発明は、飲食店に来店したユーザを、当該飲食店のサービス提供者が、前記来店した前記ユーザの性別を考慮して男女相席になるように前記飲食店内のテーブル席に案内して飲食物提供サービスを行う飲食物提供サービス支援システムを提供することを目的にしている。
【図面の簡単な説明】
【００１３】
【図１】本発明の一実施形態に係る飲食物提供サービス支援システムが実行されるシステム構成の一例を説明する概念図。
【図２】本発明の一実施形態に係る飲食物提供サービス支援システムにおける飲食店端末の構成概要を説明する図。
【図３】本発明の一実施形態に係る飲食物提供サービス支援システムにおけるサービス提供サーバの構成概要を説明する図。
【図４】本発明の一実施形態に係る飲食物提供サービス支援システムの下で実行されるサービスの一例における処理フロー説明する図。
【図５】本発明の一実施形態に係る飲食物提供サービス支援システムの下で実行されるサービスの一例における他の処理フロー説明する図。
【図６】本発明の一実施形態に係る飲食物提供サービス支援システムの下で実行されるサービスの一例における更に他の処理フロー説明する図。
【発明を実施するための形態】
【００１４】
この実施形態の飲食物提供サービス支援システム１は、飲食店２ａ、２ｂ、２ｃ、２ｄ、・・・・に来店したユーザ６ａ、６ｂ、６ｃ、６ｄ、・・・を、当該飲食店２ａ、等のサービス提供者（店舗スタッフ）が、前記来店した前記ユーザ６ａ、等の性別を考慮して男女相席になるように前記飲食店内のテーブル席に案内して飲食物提供サービスを行うものである。
【００１５】
以下、本明細書、図面中において、飲食店２ａ、２ｂ、２ｃ、２ｄ、・・・・を総称して「飲食店２」、ユーザ６ａ、６ｂ、６ｃ、６ｄ、・・・を総称して「ユーザ６」と表示することがある。
【００１６】
飲食店２ａ、２ｂ、２ｃ、２ｄ、・・・・にはそれぞれ飲食店端末３ａ、３ｂ、３ｃ、３ｄ、・・・・が配備されている。各飲食店２ａ、等の従業員などが使用する飲食店端末３ａ、等、例えば、各飲食店２ａ、等にそれぞれ配備されている飲食店端末３ａ、・・が前述したこの実施形態における、各飲食店２ａ、等にはそれぞれ配備されている飲食店端末３ａ、等になる。
【００１７】
以下、本明細書、図面中において、飲食店端末３ａ、３ｂ、３ｃ、３ｄ、・・・・を総称して「飲食店端末３」と表示することがある。
【００１８】
飲食物提供サービス支援システム１は、このサービス支援システムを利用する複数の飲食店２にそれぞれ配備されている飲食店端末３と、当該複数の飲食店端末３とインターネット、等のネットワーク４を介して接続されるサーバ装置であるサービス提供サーバ５とを備えている。
【００１９】
各飲食店２に備えられている、例えば、各飲食店２の従業員などが使用する飲食店端末３は、それぞれ、以下に説明する機能・処理を実行する料金計算手段８、店舗空席情報送出処理手段９、ユーザ利用情報送出処理手段１０を備えている。
【００２０】
料金計算手段８は、飲食店２の各テーブル席に着席しているユーザ６に対して配布されるサービス開始時刻特定手段（例えば、伝票番）から取得できるサービス開始時刻から当該飲食店２のレジカウンターで料金精算する時刻までの時間の長さ及び、前記テーブル席でサービス提供を受けて当該サービス開始時刻特定手段を前記レジカウンターに持参した男性ユーザの人数に応じて請求金額を算出する処理を行う。
【００２１】
料金計算手段８は、飲食店２に一般的に配備されている料金精算用のレジスターに備えられている構成にすることもできる。
【００２２】
店舗空席情報送出処理手段９は、飲食店２におけるテーブル席の空席情報をサービス提供サーバ５に対してネットワーク４を介して送出する処理を行う。
【００２３】
例えば、飲食店２の従業員、等が、毎日の飲食店開店後、一時間ごと、等の所定の時刻に、テーブル席の空席情報を店舗空席情報送出処理手段９に入力し、ネットワーク４を介してサービス提供サーバ５へ送出する。
【００２４】
ユーザ利用情報送出処理手段１０は、飲食店２に入店したユーザ６が所持しているユーザ端末７ａ、７ｂ、７ｃ、７ｄ、・・・・との間でのブルートゥース（登録商標）などの無線通信により取得した前記ユーザ端末７ａ、７ｂ、７ｃ、７ｄ、・・・・を使用している前記ユーザ６を特定する情報（例えば、当該ユーザ６のユーザＩＤ）及び、前記ユーザ６の入店日時情報を、前記飲食店２を特定する情報とともに、ネットワーク４を介してサービス提供サーバ５に送出する処理を行う。
【００２５】
飲食店端末３は、実装しているＷｅｂブラウザによりインターネット、等のネットワーク４を介してサービス提供サーバ５にアクセスし、Ｗｅｂブラウザ上でＷｅｂコンテンツを閲覧したり、所望のデータファイルをダウンロード、等して情報交換することができる形態にすることができる。また、更に、ブルートゥース（登録商標）方式などによる近距離無線通信機能を有する形態にすることができる。
【００２６】
飲食店端末３としては、スマートフォン（Smart Phone）、携帯電話、タブレットＰＣ（Personal Computer）、ノート型パソコン、等が用いられる。図示していないが、飲食店端末３は、オペレーティングシステムやダウンロードしたアプリケーションプログラムなどに従って、飲食店端末３の各種の機能が実現されるように制御を行うＣＰＵ、オペレーティングシステムやアプリケーションプログラムなどを記憶し、また、ＣＰＵが各制御のための処理を実行する上で必要なデータを記憶する記憶部としてのＲＯＭ、ＣＰＵが処理を実行する上で必要なデータを記憶し、ＣＰＵによって情報が適宜書き換えられるワークエリアとしても利用されるＲＡＭやハードディスク、無線通信インターフェース、ユーザインターフェースなどを備えていて、これらが必要なバスラインで接続されている端末装置である。
【００２７】
上述した飲食店端末３の料金計算手段８、店舗空席情報送出処理手段９、ユーザ利用情報送出処理手段１０が行う上述した処理動作は、飲食店端末３あるいは、飲食店２に備えられているレジスターなどに配備されているＣＰＵ、ＲＡＭ、ＲＯＭなどがそれぞれに配備されているハードディスクなどの記憶部にインストールされている所定のコンピュータプログラムの下に処理動作を行うことで実行される。
【００２８】
サービス提供サーバ５は、記憶手段１１、アプリケーションプログラム送出処理部１２、ユーザ情報記録処理部１３、ユーザプロフィール情報提供処理部１４、店舗空席情報更新・登録処理部１５、店舗空席情報提供処理部１６、サービスポイント算出処理部１７を備えていて、以下に説明する機能・処理を実行する。
【００２９】
アプリケーションプログラム送出処理部１２は、飲食店２内のテーブル席で相席になるユーザ６に対して提供されるサービス用のアプリケーションプログラムを、ユーザ６が使用しているユーザ端末７に対して、ネットワーク４を介して送出する処理を行う。
【００３０】
ユーザ情報記録処理部１３は、ユーザ端末７から取得した当該ユーザ端末７を使用しているユーザ６のプロフィール情報であるユーザプロフィール情報を、ユーザ端末７を使用している前記ユーザ６を特定するユーザＩＤに関連付けて記憶手段１１のユーザ情報データベース１１ａに記録しておく処理を行う。
【００３１】
なお、以下、「データベース」をただ単にＤＢと表すことがある。
【００３２】
ユーザプロフィール情報提供処理部１４は、ユーザ端末７から取得した特定のユーザ６のユーザプロフィール情報を要求するユーザプロフィール情報提供要求に応じて、当該特定のユーザ６のユーザプロフィール情報を前記要求を行ってきたユーザ端末７に対して送出する処理を行う。
【００３３】
店舗空席情報更新・登録処理部１５は、飲食店２の店舗空席情報送出処理手段９から取得した飲食店２におけるテーブル席の空席情報を記憶手段１１の店舗情報ＤＢ１１ｂに情報更新・登録する処理を行う。
【００３４】
店舗空席情報提供処理部１６は、ユーザ端末７から取得した店舗空席情報提供要求に応じて、店舗空席情報を、当該店舗空席情報提供要求を送出してきたユーザ端末７に対して送出する処理を行う。
【００３５】
サービスポイント算出処理部１７は、飲食店２のユーザ利用情報送出処理手段１０から取得したユーザ利用情報に基づいて、当該ユーザ利用情報に係るユーザ６が利用した飲食店２がそれぞれ設定しているサービスポイント付与基準に基づき、当該ユーザ利用情報に係るユーザ６に対して付与するサービスポイントを算出する処理を行う。
【００３６】
ここでのユーザ利用情報は、上述したように、ユーザ端末７を使用しているユーザ６を特定する情報（例えばユーザＩＤ）、当該ユーザ６の入店日時情報及び、飲食店２を特定する情報にすることができる。
【００３７】
サービス提供サーバ５は、このサービス支援システムを提供する者がインターネットなどのネットワーク４に接続しているコンピュータなどによって構成される。サービス提供サーバ５は、例えば、Apache HTTP Serverなどの、いわゆるWebサーバプログラムを実行し、ウェブページのデータを提供する機能を備えている。
【００３８】
サービス提供サーバ５も、上述した飲食店端末３と同様に、オペレーティングシステムやアプリケーションプログラムなどに従って、サービス提供サーバ５の各種の機能が実現されるように制御を行うＣＰＵ、オペレーティングシステムやアプリケーションプログラムなどを記憶し、また、ＣＰＵが各制御のための処理を実行する上で必要なデータを記憶する記憶部としてのＲＯＭ、ＣＰＵが処理を実行する上で必要なデータを記憶し、ＣＰＵによって情報が適宜書き換えられるワークエリアとしても利用されるハードディスクや、ＲＡＭ、無線通信インターフェース、ユーザインターフェースなどを備えていて、これらが必要なバスラインで接続されている端末装置である。
【００３９】
上述したサービス提供サーバ５のアプリケーションプログラム送出処理部１２、ユーザ情報記録処理部１３、ユーザプロフィール情報提供処理部１４、店舗空席情報更新・登録処理部１５、店舗空席情報提供処理部１６、サービスポイント算出処理部１７などが行う上述した処理動作は、サービス提供サーバ５に配備されているＣＰＵ、ＲＡＭ、ＲＯＭなどがそれぞれに配備されているハードディスクなどの記憶部にインストールされている所定のコンピュータプログラムの下に処理動作を行うことで実行される。
【００４０】
飲食店２に入店したユーザ６が所持しているユーザ端末７ａ、７ｂ、７ｃ、７ｄ、・・・・としては、スマートフォン（Smart Phone）、携帯電話、タブレットＰＣ（Personal Computer）、ノート型パソコン、等が用いられる。実装しているＷｅｂブラウザによりインターネット、等のネットワーク４を介してサービス提供サーバ５にアクセスし、Ｗｅｂブラウザ上でＷｅｂコンテンツを閲覧したり、所望のデータファイルをダウンロード、等して情報交換することができ、更に、ブルートゥース（登録商標）方式などによる近距離無線通信機能を有する実施形態にすることができる。
【００４１】
なお、以下、本明細書、図面中において、ユーザ端末７ａ、７ｂ、７ｃ、７ｄ、・・・・を総称して「ユーザ端末７」と表すことがある。
【００４２】
図示していないが、ユーザ端末７は、飲食店端末３と同様に、オペレーティングシステムやダウンロードしたアプリケーションプログラムなどに従って、ダウンロードしたアプリケーションプログラムに基づく各種の機能が実現されるように制御を行うＣＰＵ、オペレーティングシステムやアプリケーションプログラムなどを記憶し、また、ＣＰＵが各制御のための処理を実行する上で必要なデータを記憶する記憶部としてのＲＯＭ、ＣＰＵが処理を実行する上で必要なデータを記憶し、ＣＰＵによって情報が適宜書き換えられるワークエリアとしても利用されるＲＡＭ、無線通信インターフェース、液晶表示部などの表示、入力手段となるユーザインターフェースなどを備えていて、これらが必要なバスラインで接続されている端末装置である。なお、更に、フラッシュメモリを備えていて、ここに、ＣＰＵが各種の処理を行う上で使用するデータや、ＣＰＵでの処理によって生成されたデータが保存し、必要ならば、フラッシュメモリがＲＯＭ及びＲＡＭとしての機能を備えていて、ＲＯＭ、ＲＡＭが省略されている端末にすることもできる。
【００４３】
以下、この実施形態の飲食物提供サービス支援システムの下で実行されるサービスの一例について説明する。
【００４４】
（飲食店へのユーザの来店）
この実施形態の飲食物提供サービス支援システム１の下でサービスを提供している飲食店２（例えば、居酒屋）は、来店したお客様（ユーザ６）を、当該お客様（ユーザ６）の性別を考慮して男女相席になるように飲食店内のテーブル席に案内して飲食物提供サービスを行う飲食店であることを説明・宣伝するのぼり（看板）などを付けた飲食店スタッフを店舗の入り口に配置している。
【００４５】
店舗スタッフは来店したお客様（すなわち、ユーザ６）に「人数」、「ご来店されたきっかけ」などをうかがう。
【００４６】
その後、店舗内のテーブル席に案内し、飲食物提供サービス支援システムの説明を行う。
【００４７】
なお、既に、この実施形態の飲食物提供サービス支援システム１の下でのサービス提供を受けたことのあるお客様（ユーザ６）の場合、この説明は省略することがある。
【００４８】
この実施形態の飲食物提供サービス支援システム１の下でのサービス提供を始めて受けるお客様（ユーザ６）に対しては、サービス提供サーバ５にネットワーク４を介してアクセスし、この実施形態の飲食物提供サービス支援システム１の下でのサービス提供を受けることに用いられるアプリケーションプログラム（以下、この明細書において「相席屋公式アプリ」という）を、当該お客様（ユーザ６）が使用しているユーザ端末７にダウンロードするように促す。
【００４９】
お客様（ユーザ６）は相席屋公式アプリを使用しているユーザ端末７にダウンロードし（Ｓ１０１〜Ｓ１０３）、相席屋公式アプリにしたがって、当該お客様（ユーザ６）を特定する情報（例えば、ハンドルネーム）や、趣味などに関する情報であって、いわゆる個人情報を含まないもの（ユーザプロフィール情報）を入力する（Ｓ１０４）。
【００５０】
そして、以降、登録されているユーザとしてサービス提供サーバ５にログインするための必要な情報（例えば、パスワードや、当該お客様（ユーザ６）を特定する情報（例えば、ハンドルネームや、ユーザＩＤなど））を設定する。
【００５１】
サービス提供サーバ５では、ユーザ情報記録処理部１３が、入力された当該お客様（ユーザ６）を特定する情報（例えば、ハンドルネームや、ユーザＩＤなど）や、パスワード、趣味などに関する情報（ユーザプロフィール情報）を、当該お客様（ユーザ６）を識別する情報（例えば、ハンドルネームや、ユーザＩＤなど）に関連付けて、記憶手段１１のユーザ情報ＤＢ１１ａに登録する（Ｓ１０５）。
【００５２】
この際、サービス提供サーバ５では、ユーザ情報記録処理部１３が、ユーザ端末７から取得した当該ユーザ端末７を使用しているユーザ６のプロフィール情報であるユーザプロフィール情報を、当該ユーザ端末７を使用しているユーザ６を特定するユーザＩＤに関連付けて記憶手段１１のユーザ情報ＤＢ１１ａに記録する処理を行う。
【００５３】
相席屋公式アプリのダウンロードおよび所定の情報入力が完了したお客様（ユーザ６）や、既に、この実施形態の飲食物提供サービス支援システム１の下でのサービス提供を受けたことのあるお客様（ユーザ６）については、店内のテーブル席の空き状況を確認して、男女相席になるように、店舗スタッフが店内のテーブル席に案内する。
【００５４】
なお、この際、男女相席となるテーブル席がない場合には、店舗内の他の席でお客様（ユーザ６）にお待ちいただく。
【００５５】
男女相席となるテーブル席にお客様（ユーザ６）を案内した後は、当該テーブル席で店舗スタッフから乾杯を促し、前述した相席屋公式アプリを立ち上げて、ユーザプロフィール情報の交換を行うように促す。
【００５６】
テーブル席で男女が相席になったお客様（ユーザ６）は、店舗スタッフの勧めで行った前述のユーザプロフィール情報交換の際に、相席屋公式アプリを用いて、サービス提供サーバ５にログインし、相席になった人のユーザプロフィール情報を取得する。例えば、相席になったユーザ６は、お互いに相席屋公式アプリを開いて、指示に従って、例えば、ＧＰＳを設定し、画面に表示された「プロフィール交換」を選択して、ライン（登録商標）等のＳＮＳ（Ｓｏｃｉａｌ  Ｎｅｔｗｏｒｋｉｎｇ  Ｓｅｒｖｉｃｅ）やＱＲコード（登録商標）にて交換する、等によって、相席になったユーザ６のユーザプロフィール情報を取得する。
【００５７】
この際、サービス提供サーバ５では、ユーザプロフィール情報提供処理部１４が、ユーザ端末７から取得した特定のユーザ６のユーザプロフィール情報を要求するユーザプロフィール情報提供要求に応じて、当該特定のユーザ６のユーザプロフィール情報を、要求を行ってきたユーザ端末６に対して送出する処理を行う（Ｓ１０６〜Ｓ１０８）。
【００５８】
引き続き、店舗スタッフは、相席となったお客様に乾杯をうながし、乾杯後、お客様（ユーザ６）に対して、相席開始を伝え、当該テーブル席に着席しているお客様（ユーザ６）に対して配布されるサービス開始時刻特定手段（例えば、伝票番）に相席開始時間を記載する。
【００５９】
上述したように、この実施形態では、テーブル席で男女が相席になったお客様（ユーザ６）は、相席屋公式アプリを用いて、互いのプロフィールを知ることができ、相席となったテーブルでの会話のきっかけにすることができる。
【００６０】
（飲食店からユーザが退店する際に行う費用算出）
相席となったテーブルでの飲食が終了し、飲食店を出るときには、ユーザ６は、相席開始の際に配布を受けた、サービス開始時刻特定手段（例えば、伝票番）をレジカウンターに持参する。
【００６１】
レジカウンターでは、料金計算手段８が、サービス開始時刻特定手段（例えば、伝票番）から取得できるサービス開始時刻からレジカウンターで料金精算する時刻までの時間の長さ及び、前記テーブル席でサービス提供を受けて当該サービス開始時刻特定手段（例えば、伝票番）をレジカウンターに持参した男性ユーザ６の人数に応じて請求金額を算出する処理が行われる。
【００６２】
これによって、一つのテーブルで男女相席で飲食を行っていても、請求金額算出は当該テーブルに座っていた男性ユーザ６に対してのみ請求される。
【００６３】
なお、料金計算手段８が、サービス開始時刻特定手段（例えば、伝票番）から取得できるサービス開始時刻からレジカウンターで料金精算する時刻までの時間の長さに基づく請求金額を算出するにあたって、例えば、サービス開始から所定の時間経過するまでを基本料金（例えば、平日：３０分まで１５００円／男性ユーザ一人、金曜・土曜・国民の祝日の前日：３０分まで１８００円／男性ユーザ一人）とし、当該所定時間経過後は、所定の時間間隔ごとに請求料金を加算する（例えば、平日：３０分以降１０分ごとに５００円／男性ユーザ一人）とし、金曜・土曜・国民の祝日の前日：３０分以降１０分ごとに６００円／男性ユーザ一人）請求金額算出にすることができる。
【００６４】
料金計算手段８が、上述したようにして、時間と、男性ユーザの人数のみに基づいて請求金額算出することから、相席のテーブル席に座ったユーザ６が喫食した料理については費用請求しないシステムにすることができる。また、相席のテーブル席に座ったユーザ６が飲んだ飲み物についても費用請求しないシステムにすることができる。
【００６５】
この実施形態のシステムを採用している飲食店２では、「お料理食べ放題」形式や、飲食店２内のブッフェ台に料理を多数（例えば、１０種類以上）供しておきユーザ６にご自由にとっていただく「ブッフェバイキング」形式や、飲食店２内のブッフェ台に料理を複数（例えば、５種類程度）供してユーザ６にご自由にとっていただくようにしているがブッフェ台にスペースが少ない等の事情でブッフェ台に料理を多く置けないことからオーダーで店舗スタッフにも頼んでいただいて料理を提供する「セミバイキング」形式や、全ての料理を店舗スタッフに注文して頂く「オーダーバイキング」など、種々の料理提供形式を採用可能である。
【００６６】
いずれにしても、料金計算手段８が、上述したように、時間と、男性ユーザの人数のみに基づいて請求金額算出することから、相席のテーブル席に座ったユーザ６が喫食した料理や、飲んだ飲み物については費用請求しないシステムにすることができる。すなわち、上述したいずれの形式でユーザ６に対して料理を提供する場合であっても、飲食店２内で相席のテーブル席に座ったユーザ６が喫食した料理や飲み物については費用請求しない実施形態にすることができる。
【００６７】
なお、上述した請求金額算出に含まれない有料の料理などの飲食物をユーザ６が注文し、それを提供した場合には、その旨をサービス開始時刻特定手段（例えば、伝票番）に記録しておき、費用請求する実施形態にすることができる。
【００６８】
（相席開始までの待ち時間）
ユーザ６が飲食店２に来店された際に男女相席できるテーブルを直ちに調整することができない場合には、カウンター席などのような相席にならない席でユーザ６にお待ちいただくことになる。
【００６９】
この場合、お待ちいただいているユーザ６が女性である場合、上述したように、最終的な費用請求は男性ユーザに対してのみ発生するので、女性ユーザ６は待ち時間の間、自由に、飲食することができる。
【００７０】
お待ちいただいているユーザ６が男性である場合、上述したように、最終的な費用請求は男性ユーザに対して発生する。上述したように、この実施形態では、時間と、男性ユーザの人数のみに基づいて請求金額算出することにして、相席のテーブル席に座ったユーザ６が喫食した料理、飲んだ飲み物については費用請求しないシステムにすることができるが、待ち時間の間に男性ユーザが飲んだ飲み物に関しては、５００円／一品、等の定額制にして、上述したサービス開始時刻特定手段（例えば、伝票番）に記録しておき、お帰りの際のレジカウンターで費用請求する実施形態にすることができる。
【００７１】
（テーブル席での相席相手の交換）
上述したように、男女相席でのテーブルで飲食、会話が始まった後、ユーザ６が相席相手の変更を希望することが可能である。
【００７２】
この場合には、店舗スタッフにその旨を伝える、あるいは、飲食店２のトイレなどの所定の場所にあらかじめ配置されている「同席相手の交換を希望する」ことを示す手段（例えば、「席替えカード」）などを利用し、これを店舗スタッフに渡して、相席相手の変更を希望することができる。
【００７３】
店舗スタッフは、このような意思表示を相席しているユーザ６から受けた場合には、当該ユーザ６が座っているテーブルの他のユーザ６への説明を行うと共に、他のテーブルでの相席相手交換の可能性を探り、必要な説明を他のテーブルのユーザ６、等へも行って、席替えを行って、新しいユーザ６の組み合わせのテーブル席を整える。
【００７４】
この際、席替えが行われた、新しいユーザ６の組み合わせテーブルでも、店舗スタッフは、上述したようなプロフィール交換、乾杯を促し、その後、相席開始を伝える。
【００７５】
なお、上述したように、料金計算手段８が行う、サービス開始時刻特定手段（例えば、伝票番）から取得できるサービス開始時刻からレジカウンターで料金精算する時刻までの時間の長さに基づく請求金額算出は、サービス開始から所定の時間（３０分）経過するまでの基本料金と、当該所定時間経過後の所定の時間間隔（例えば１０分）ごとに加算される請求料金であるので、新しいユーザ６の組み合わせテーブルで相席開始になった時に、サービス開始時刻特定手段（例えば、伝票番）への新たな相席開始時間の記載は行わない。
【００７６】
（空席状況の確認）
ユーザ６が飲食店を訪問した際に男女相席できるテーブルを直ちに調整することができない場合、上述したように、カウンター席などのような相席にならない席でユーザ６にお待ちいただくことになる。
【００７７】
そこで、ユーザ６としては、相席状況をあらかじめ確認することができれば便利である。
【００７８】
また、飲食店２としても、適宜、空席状況をユーザ６に知らせることができればユーザ６の来店意欲を高めることができる。
【００７９】
この実施形態では、飲食店２に配備されている、あるいは飲食店２の従業員が使用する、飲食店端末３が、店舗空席情報送出処理手段９を備えている構成にすることができる。
【００８０】
店舗空席情報送出処理手段９は、飲食店２におけるテーブル席の空席情報をサービス提供サーバ５に対してネットワーク４を介して送出する処理を行う。
【００８１】
例えば、飲食店２の従業員が、飲食店２の開店後、一時間ごと、等の所定の時刻に、テーブル席の空席情報を店舗空席情報送出処理手段９に入力し、ネットワーク４を介してサービス提供サーバ５へ送出する（Ｓ２０１）。
【００８２】
サービス提供サーバ５の店舗空席情報更新・登録処理部１５は、飲食店２の店舗空席情報送出処理手段９から取得した当該飲食店２におけるテーブル席の空席情報を記憶手段１１の店舗情報ＤＢ１１ｂに情報更新・登録する（Ｓ２０２）。
【００８３】
この際、空席情報は、全体の空席状況だけでなく、男性席、女性席の空席状況に分けて入力し、情報登録することができる。
【００８４】
この実施形態のシステムを利用しようとするユーザ６は、使用しているユーザ端末７で相席屋公式アプリを立ち上げ、画面での指示に応じて空席状況の問い合わせ（店舗空席情報提供要求）を行う（Ｓ２０３）。
【００８５】
店舗空席情報提供要求をユーザ端末７から受けたサービス提供サーバ５では、店舗空席情報提供処理部１６が、ユーザ端末７から取得した店舗空席情報提供要求に応じて、店舗空席情報を、当該店舗空席情報提供要求を送出してきたユーザ端末７に対して送出する処理を行う（Ｓ２０４、Ｓ２０５）。
【００８６】
送出される店舗空席情報には飲食店２に関する情報（店舗の名称、店舗の所在場所など）と、当該店舗における空席状況（男性席の空席状況、女性席の空席状況）が含まれている。
【００８７】
ユーザ６は、店舗空席情報に表示されている飲食店２に移動することに要する時間、その時間をかけて訪問した際に相席になれる可能性などの条件から訪問する飲食店２を選択することができる。
【００８８】
また、必要があれば、選択した、訪問しようとする飲食店２までのルート表示などを受けることができる。
【００８９】
（サービスポイントの提供）
この実施形態では、飲食店２に配備されている、あるいは飲食店２の従業員が使用する、飲食店端末３は、ユーザ利用情報送出処理手段１０を備えている構成にすることができる。
【００９０】
ユーザ利用情報送出処理手段１０は、飲食店２に入店したユーザ６が所持しているユーザ端末７との間でのブルートゥース（登録商標）等による無線通信により取得したユーザ端末７を使用しているユーザ６を特定する情報（例えば、ユーザＩＤ）及び、ユーザ６の入店日時情報を、飲食店２を特定する情報とともに、ネットワーク４を介してサービス提供サーバ５に送出する（Ｓ３０１）。
【００９１】
サービス提供サーバ５のサービスポイント算出処理部７は、取得したユーザ利用情報に基づいて、当該ユーザ利用情報に係るユーザ６が利用した飲食店２がそれぞれ設定しているサービスポイント付与基準に基づき、当該ユーザ利用情報に係るユーザ６に対して付与するサービスポイントを算出する（Ｓ３０２）。
【００９２】
算出されたサービスポイントは記憶部１１のユーザ情報ＤＢ１１ａに、当該ユーザ６を特定するユーザＩＤに関連付けられて記録される（Ｓ３０３）。
【００９３】
ユーザ６は使用しているユーザ端末７で相席屋公式アプリを立ち上げて自分に対して、どこの飲食店２でサービスポイントがどの程度付与されているかを確認することができる（Ｓ３０４〜Ｓ３０６）。
【００９４】
付与されたサービスポイントにより料金精算の際に優遇が行われる、等のサービスポイント付与形式にすることにより、ユーザ６の利用意欲を高める、等が期待される。
【００９５】
以上、添付図面を参照してこの発明の実施形態を説明したが、本発明はかかる実施形態に限定されることなく、特許請求の範囲の記載から把握される技術的範囲において種々に変更可能である。
【符号の説明】
【００９６】
１  飲食物提供サービス支援システム
２、２ａ、２ｂ、２ｃ、２ｄ、・・・・飲食店
３、３ａ、３ｂ、３ｃ、３ｄ、・・・・飲食店端末
４  ネットワーク
５  サービス提供サーバ
６、６ａ、６ｂ、６ｃ、６ｄ、・・・・ユーザ
７、７ａ、７ｂ、７ｃ、７ｄ、・・・・ユーザ端末
【図１】
2018060442.tif 000003
【図２】
2018060442.tif 000004
【図３】
2018060442.tif 000005
【図４】
2018060442.tif 000006
【図５】
2018060442.tif 000007
【図６】
2018060442.tif 000008